(57)【要約】  【課題】断線の恐れがなく、かつ信頼性が高く、汎用のモータが採用できる安価なダンパー装置を提供する。  【解決手段】駆動部５は、外郭を形成するケース６とケースの蓋部となるカバー７と、正逆回転可能なモータ８から構成され、モータ８は、駆動コイル８ａと駆動コイル８ａの端末部分が巻きつけられている巻線用端子８ｃと、巻線用端子８ｃと電気的に接続されたリード線８ｅと、リード線８ｅの先端に取り付けられたコネクタ部１３を有し、コネクタ部１３を、ケース６に挿入するとともに、ケース６とカバー７により挟み込む構成とした。これにより、モータ８の形態に影響なくコネクタ部１３を容易かつ確実に固定することができる。【選択図】図２
2010159902.tif 000002
【特許請求の範囲】
【請求項１】
開口部を有するフレームと、前記開口部を開閉するバッフルと、前記バッフルを駆動する駆動部を具備し、前記駆動部を、外郭を形成するケースと、前記ケースの蓋部となるカバーと、正逆回転可能なモータを具備する構成としたダンパー装置において、前記モータは、駆動コイルと前記駆動コイルの端末部分が巻き付けられている複数本の巻線用端子と前記巻線用端子と電気的に接続されたリード線と、前記リード線の先端に取り付けられたコネクタ部を有し、前記コネクタ部を、前記ケース内において前記ケースと前記カバーにより挟み込んで固定する構成としたダンパー装置。
【請求項２】
前記コネクタ部を、ハウジングと複数の雄型端子を有する構成とし、前記コネクタ部を、前記ケースに設けた溝部に挿入し、その状態で前記カバーに設けた凸部にて挟み込むようにした請求項１に記載のダンパー装置。
【請求項３】
前記コネクタ部の前記溝部への挿入を、前記ケースの溝部に設けられた凹部と前記コネクタ部のハウジングに設けられた凸部の嵌合状態で可能とすることにより、前記コネクタ部が逆向きに挿入できないようにした請求項２に記載のダンパー装置。
【請求項４】
前記コネクタ部を、ハウジングと複数の雌型端子を有するモータ側コネクタと、ハウジングと複数の雄型端子を有し、両側に前記モータ側コネクタが接続できるように構成された接続用コネクタより構成し、前記ケースに設けた穴部に前記接続用コネクタを挿入するとともに、前記接続用コネクタのハウジングに設けたリブを、前記ケースの穴部に設けた当接部と前記カバーに設けた凸部により挟み込んで固定する構成とした請求項１に記載のダンパー装置。
【請求項５】
前記接続用コネクタの前記穴部への挿入を、該接続用コネクタのハウジング表面に設けられた溝部と前記ケースの穴部に設けられた凸部の嵌合状態で可能とすることにより、前記接続用コネクタが逆向きに取り付かないようにした請求項４に記載のダンパー装置。
【請求項６】
断熱空間で形成される物品貯蔵室と、圧縮機、凝縮器、減圧装置、蒸発器を、配管を介して環状に連結した冷凍サイクルと、前記蒸発器もしくは凝縮器による温調気流を前記物品貯蔵室内に送り込む送風手段を具備した貯蔵装置において、前記送風手段を、一端が前記凝縮器、もしくは蒸発器を配置した温調室に開口し、他端が前記物品貯蔵室に開口した送風回路と、前記温調室、もしくは前記送風回路に設けられた送風機と、前記送風回路に設けられたダンパー装置を具備する構成とし、前記ダンパー装置を、請求項１から５のいずれか一項に記載のダンパー装置とした物品貯蔵装置。
【発明の詳細な説明】
【技術分野】
【０００１】
本発明は、例えば、冷蔵庫等における貯蔵室内部の冷風路に設けられ、該風路を開閉して温度を調整する用途等に用いられるダンパー装置、およびそのダンパー装置を具備した物品貯蔵装置に関するものである。
【背景技術】
【０００２】
従来から冷蔵庫には、その庫内に設けられた複数の冷蔵室の温度を制御する手段として、冷却器から各冷蔵室へ通じる冷気の風路を、バッフルにて開閉し、各冷蔵室に流入する冷気量を制御するダンパー装置が採用されており、前記バッフルを動作させる駆動源は、モータを具備した構成となっている。
【０００３】
そして、前記バッフルを動作させるモータの冷蔵庫本体との電気的な接続は、前記ダンパー装置に設けられたコネクタ部にて行われている（例えば、特許文献１参照）。
【０００４】
図１３から図１５は、上記特許文献１に記載された従来のダンパー装置を示すもので、図１３は、同ダンパー装置の駆動部の内部構成を示す平面図、図１４は、同ダンパー装置の駆動部の断面図、図１５は、同ダンパー装置のモータ側コネクタの部分拡大斜視図である。
【０００５】
図１３から図１５に示すように、ダンパー装置１００の駆動部１０１は、２枚のバッフル１０２ａ、１０２ｂを駆動するもので、一面が開口したケース１０３と、このケース１０３内に固定配置された正逆回転可能なモータ１０４と、そのモータ１０４の回転を減速して伝達する減速歯車列１０５と、モータ１０４の回転を、駆動軸１０６ａ、１０６ｂを介してバッフル１０２ａ、１０２ｂへ伝達するための駆動車１０６を主体に構成されている。そして、ケース１０３の開口部分には、蓋状部材１０７が被せられている。
【０００６】
ここで、モータ１０４においては、モータケース１０４ａの内部に、巻線１０４ｂが巻回された一対のモータボビン１０４ｃが装着されるとともに、モータボビン１０４ｃの内側には、回転軸１０４ｄと一体的に回転するロータ１０４ｅが配置されている。
【０００７】
また、モータボビン１０４ｃに装着された巻線１０４ｂの端末部分は、モータケース１０４ａの外周面から半径方向に向かって突出するように設けられた複数本の巻線用接続端子１０４ｆの根元部分に巻回されるようにして接続されており、それら複数本の巻線用接続端子１０４ｆは、後述する直線的に接続されたモータ側コネクタ１０８に、モータケース１０４ａに対して嵌着されるようにして取り付けられている。さらに、このモータ側コネクタ１０８は、図示を省略した冷蔵庫本体から延出している配線の先端部分に設けられた冷蔵庫側コネクタとの係合により冷蔵庫側と接続される。
【０００８】
さらに、モータ側コネクタ１０８は、平面略矩形状に形成された樹脂製のホルダ１０９内に、複数個の導電性材質からなる接続部材１１０を列状に備えており、それらの各接続部材１１０は、インサート成形等によってホルダ１０９内に埋設されている。この樹脂製ホルダ１０９に設けられた係合脚部１０９ａは、モータケース１０４ａの一部を切り欠くようにして形成された係止部１０４ｇの縁部に嵌合されている。
【０００９】
このようにしてモータケース１０４ａの一部を構成するように取り付けられたモータ側コネクタ１０８の樹脂製ホルダ１０９は、上述したダンパー装置１００の駆動部１０１を構成しているケース１０３の側壁面に形成された凹部１０３ａに対して、モータ１０４の軸方向に沿って挿入することにより装着されている。
【００１０】
また、モータ側コネクタ１０８に設けられた接続部材１１０は、特に図１４に示されるように一端側には、巻線用接続端子１０４ｆが挿入嵌合されるモータ側係合部１１０ａを設けており、他端側には、上述の外部接続装置側コネクタが嵌合される外部側係合部１１０ｂを設けている。
【特許文献１】特開２００２−３５９０３４号公報
【発明の開示】
【発明が解決しようとする課題】
【００１１】
しかしながら、上記従来の構成では、モータ１０４にモータ側コネクタ１０８を取り付ける際に、接続部材１１０のモータ側係合部１１０ａに巻線用接続端子１０４ｆを真直ぐに挿入することが困難なため、巻線用接続端子１０４ｆを変形させ、巻線用接続端子１０４ｆの根元部分に巻回されるように接続されている巻線１０４ｂが引っ張られ、断線する恐れがあるという課題を有していた。また、モータ１０４およびモータ側コネクタ１０８はダンパー装置専用のものとなり、汎用性がなく高価なものとなってしまう課題を有していた。
【００１２】
本発明は、上記従来の課題を解決するもので、巻線の断線の恐れをなくして信頼性を高くし、また、汎用性のモータの採用を可能にして、安価に構成できるダンパー装置を提供することを目的とする。
【００１３】
さらに、かかるダンパー装置の動作を確実にして、信頼性を高めた物品貯蔵装置を提供することを目的とするものである。
【課題を解決するための手段】
【００１４】
上記従来の課題を解決するために、本発明のダンパー装置は、モータに接続されたリード線の先端に取り付けられたモータ側コネクタを、モータのケースに挿入した状態で、ケースとカバーによって挟み込み、固定するようにしたものである。
【００１５】
もしくはモータ側コネクタに接続された中継コネクタ（接続用コネクタ）を、モータのケースに挿入した状態で、ケースとカバーによって挟み込み、固定するようにしたものである。
【００１６】
かかる構成とすることにより、モータ側コネクタとモータを接続する際に、モータの巻線が引っ張られることがなく、その結果、リード線等の断線が防止できる。また、モータおよびモータ側コネクタは、汎用のものを採用することができ、さらに、モータ側コネクタをケースに配置することにより、リード線の長さを統一し、接続部を標準化することもできるものである。
【００１７】
また、電気的接続部における物品貯蔵装置側との接続を確実にし、動作の信頼性を高めることができるものである。
【発明の効果】
【００１８】
本発明のダンパー装置は、モータの巻線の断線が発生し難いリード線等の接続作業が可能となり、信頼性の高いダンパー装置を得ることができる。また、汎用のモータおよびコネクタを採用することができ、金型等のそのためのみの投資を不要にし、安価に構成することができるとともに、電気的接続部の標準化をはかることにより、作業性を向上することができる。
【００１９】
さらに、かかるダンパー装置を用いた物品貯蔵装置においても、ダンパー装置による温度調整制御において信頼性を高めることができるものである。
【発明を実施するための最良の形態】
【００２０】
請求項１に記載の発明は、開口部を有するフレームと、前記開口部を開閉するバッフルと、前記バッフルを駆動する駆動部を具備し、前記駆動部を、外郭を形成するケースと、前記ケースの蓋部となるカバーと、正逆回転可能なモータを具備する構成としたダンパー装置において、前記モータは、駆動コイルと前記駆動コイルの端末部分が巻き付けられている複数本の巻線用端子と前記巻線用端子と電気的に接続されたリード線と、前記リード線の先端に取り付けられたコネクタ部を有し、前記コネクタ部を、前記ケース内において前記ケースと前記カバーにより挟み込んで固定する構成としたものである。
【００２１】
かかる構成とすることにより、リード線の先端にコネクタ部を取り付けるときに、駆動コイルを引っ張ることがなく、モータ巻き線等の断線の恐れがない信頼性の高い接続構造とすることができる。また、モータおよびコネクタ部は特別な構造とする必要がなく、汎用のものを採用することができるため、そのための金型投資等も不要となる。
【００２２】
さらに、コネクタ部を、ケースとカバーにより挟み込み固定してケースに取り付けているため、前記リード線の長さ、および前記コネクタ部の仕様を統一することができる。その結果、ダンパー装置を搭載する本体機器に応じてリード線の長さを設定する必要がなく、電気的接続部を統一して安価な構成とすることができる。
【００２３】
請求項２に記載の発明は、請求項１に記載の発明において、前記コネクタ部を、ハウジングと複数の雄型端子を有する構成とし、前記コネクタ部を、前記ケースに設けた溝部に挿入し、その状態で前記カバーに設けた凸部にて挟み込むようにしたものである。
【００２４】
これにより、前記コネクタ部を前記ケースへ確実に固定することができる。したがって、前記本体機器側との接続時に、前記コネクタ部が動いて不十分な接続状態となることもなく、信頼性の高いものとすることができる。
【００２５】
請求項３に記載の発明は、請求項２に記載の発明において、前記コネクタ部の前記溝部への挿入を、前記ケースの溝部に設けられた凹部と前記コネクタ部のハウジングに設けられた凸部の嵌合状態で可能とすることにより、前記コネクタ部が逆向きに挿入できないようにしたものである。
【００２６】
これにより、組立て時にコネクタ部の誤挿入が防止でき、より信頼性を高めることができる。
【００２７】
請求項４に記載の発明は、請求項１に記載の発明において、前記コネクタ部を、ハウジングと複数の雌型端子を有するモータ側コネクタと、ハウジングと複数の雄型端子を有し、両側に前記モータ側コネクタが接続できるように構成された接続用コネクタより構成し、前記ケースに設けた穴部に前記接続用コネクタを挿入するとともに、前記接続用コネクタのハウジングに設けたリブを、前記ケースの穴部に設けた当接部と前記カバーに設けた凸部により挟み込んで固定する構成としたものである。
【００２８】
これにより、モータ側コネクタの仕様にかかわらず、接続用コネクタを固定することによりコネクタ部の固定が確実にでき、信頼性の高い接続構成を得ることができる。
【００２９】
請求項５に記載の発明は、請求項４に記載の発明において、前記接続用コネクタの前記穴部への挿入を、該接続用コネクタのハウジング表面に設けられた溝部と前記ケースの穴部に設けられた凸部の嵌合状態で可能とすることにより、前記接続用コネクタが逆向きに取り付かないようにしたものである。
【００３０】
これにより、組立て時にコネクタ部の誤挿入が防止でき、より信頼性を高めることができる。
【００３１】
請求項６に記載の発明は、断熱空間で形成される物品貯蔵室と、圧縮機、凝縮器、減圧装置、蒸発器を、配管を介して環状に連結した冷凍サイクルと、前記蒸発器もしくは凝縮器による温調気流を前記物品貯蔵室内に送り込む送風手段を具備した貯蔵装置において、前記送風手段を、一端が前記凝縮器、もしくは蒸発器を配置した温調室に開口し、他端が前記物品貯蔵室に開口した送風回路と、前記温調室、もしくは前記送風回路に設けられた送風機と、前記送風回路に設けられたダンパー装置を具備する構成とし、前記ダンパー装置を、請求項１から５のいずれか一項に記載のダンパー装置とした物品貯蔵装置である。
【００３２】
かかる構成とすることにより、電気的接続部における接続を確実にし、信頼性の高いダンパー装置の動作が期待でき、物品貯蔵装置の温度調整のための気流制御を安定させ、信頼性を高めた物品貯蔵装置を得ることができる。
【００３３】
以下、本発明の実施の形態について図面を参照しながら説明する。なお、この実施の形態によってこの発明が限定されるものではない。
【００３４】
（実施の形態１）
図１は、本発明の実施の形態１におけるダンパー装置の側面図である。図２は、同ダンパー装置における図１のＡ−Ａ線による断面を含む正面図である。図３は、同ダンパー装置の背面図である。図４は、同ダンパー装置を構成する駆動部の内部を示す平面図である。図５は、同駆動部に設けられたモータの断面図である。
【００３５】
図１から図５において、ダンパー装置１は、空気等の流体が通過するための開口部２を有するフレーム３と、長辺の一つを軸にして開口部２を開閉するバッフル４と、バッフル４を回転駆動する駆動部５を具備している。
【００３６】
また、駆動部５は、一面が開口し、かつ外郭を形成するケース６と、ケース６の開口を塞ぐ蓋部となるカバー７と、正逆回転可能で内部に減速機構（図示せず）等を具備するギヤードタイプのモータ８と、モータ８の回転を減速して伝達する減速歯車列９と、減速歯車列９により減速されたモータ８の回転を、駆動軸１０ａを介してバッフル４に伝える駆動歯車１０を具備した構成である。
【００３７】
ここで、カバー７は、フレーム３の側部に一体に設けられた構成としているが、フレーム３とは別々の構成とすることもできる。
【００３８】
また、モータ８は、内部に駆動コイル（巻線）８ａが巻回された一対のモータボビン８ｂと、モータボビン８ｂに圧入され、駆動コイル８ａの端末部分が巻き付けられるようにして接続されている複数本の巻線用端子８ｃと、巻線用端子８ｃを挿入し、半田付け固定して電気的に接続された基板８ｄと、一端が基板８ｄと半田付けにて接続された複数本のリード線８ｅを具備する構成となっている。そして、リード線８ｅの先端には、複数本の雄型端子１１と、この雄型端子１１を保持するハウジング１２からなるコネクタ部１３が取り付けられている。このコネクタ部１３は、冷蔵庫本体側から出ている冷蔵庫側コネクタ（図示せず）と電気的に接続されるように構成されている。
【００３９】
さらに、コネクタ部１３は、ハウジング１２の一面がケース６の溝部１４に設けられた凹部１４ｂと嵌合し、またその面の対面に設けた凸部１２ａの先端が、溝部１４に設けられた当接部１４ａと当接し、その状態を維持してカバー７に設けられた凸部７ａにより押さえつけられている。その結果、コネクタ部１３（ハウジング１２）は、ケース６とカバー７によって挟み込まれ、固定された構成となっている。また、コネクタ部１３は、溝部１４に設けられた当接部１４ａ、凹部１４ｂと所定の当接、嵌合が行えるように、その長さ、形状が特定されているため、溝部１４への挿入に際しては、それぞれの当接、嵌合位置が特定され、逆向き、あるいは反転した状態では取り付けることができず、正規の状態でのみ取り付けることができる構造となっている。
【００４０】
以上のように構成されたダンパー装置１の動作について説明する。
【００４１】
バッフル４は、上述の如く駆動部５の動力を受け、駆動車１０、および駆動軸１０ａの回転によって所定角度の範囲で往復回動し、開口部２を全閉状態から全開状態、全開状態から全閉状態に制御する動作を行う。また必要に応じてその途中でバッフル４の回動を停止し、流通する空気の量を制御することもできる。かかる動作は、周知の動作内容であるので、詳細な説明を省略する。
【００４２】
したがって、上記構成からなるダンパー装置１は、バッフル４の回転動作により、開口部２を開閉することができるため、例えば冷蔵庫等の冷気通路内、あるいはダクト内に配置されることにより、冷気の流通（流量）を制御し、貯蔵室内の温度を略一定に維持することができる。
【００４３】
また、ダンパー装置１を構成するモータ８は、駆動コイル８ａと、駆動コイル８ａの端末部分が巻き付けられている複数本の巻線用端子８ｃと、巻線用端子８ｃと電気的に接続された複数本のリード線８ｅと、リード線８ｅの先端に取り付けられたコネクタ部１３を有しており、そのコネクタ部１３を、ケース６に挿入した状態で、ケース６とカバー７によって挟み込むことにより、固定する構成としたもので、コネクタ部１３を取り付ける際にモータ８に外力が加わる恐れがない。
【００４４】
したがって、コネクタ部１３のケース６への固定に際し、モータ８の巻線用端子８ｃが変形し、駆動コイル８ａを引っ張ることが伴う構成でないため、断線の恐れのない信頼性の高いものとすることができる。また、モータ８およびコネクタ部１３は、特別な構造とする必要がなく、汎用のものを採用できるため、これらの金型投資が不要となる。
【００４５】
さらに、モータ８側のコネクタ部１３を、ケース６とカバー７によって挟み込み固定しているので、リード線８ｅの長さ、およびコネクタ部１３の仕様を統一することができる。その結果、リード線８ｅおよびコネクタ部１３をケース６から引き出した構成の場合は、ダンパー装置１を搭載する本体機器に応じてリード線８ｅの長さを設定したり、コネクタ部１３の構成を変更したりする必要があったが、本実施の形態１の如く、コネクタ部１３をケース６に固定する構成とすることにより、その必要もなくなり、電気的接続部を統一して安価な構成とすることができる。
【００４６】
また、コネクタ部１３の固定は、ケース６に設けた溝部１４にコネクタ部１３を挿入して溝部１４に設けた凹部１４ｂにハウジング１２の一面を嵌合し、さらにハウジング１２に設けた凸部１２ａを溝部１４に設けた当接部１４ａと当接させ、その状態でカバー７に設けた凸部７ａによって押さえつける構成である。その結果、コネクタ部１３は、ケース６とカバー７によって挟み込み固定された構成となり、確実にケース６へ固定されている。したがって、冷蔵庫等の本体機器側のコネクタ部との接続時に、コネクタ部１３が動いたり、外れたりすることがなく、信頼性の高い構成を得ることができる。
【００４７】
また、ハウジング１２の溝部１４に設けた凹部１４ｂとの嵌合、およびハウジング１２に設けた凸部１２ａと溝部１４に設けた当接部１４ａとの当接と、カバー７に設けた凸部７ａによる押さえつけの構造により、コネクタ部１３が正規の方向にあるときのみ溝部１４への挿入とカバー７に設けた押さえつけを可能としているため、組立て時におけるコネクタ部１３の誤挿入が防止できる、その結果、本体機器側のコネクタとの誤結線接続を防止し、接続を確実なものとして信頼性を高めることができるものである。
【００４８】
以上のように、本実施の形態１におけるダンパー装置１は、組立て時等においてモータ８の駆動コイル８ａの断線の恐れがなく、冷蔵庫等の本体機器側のコネクタとの接続が確実であり、高い信頼性を得ることができる。また、モータ８およびコネクタ部１３は、汎用のものを採用することができるため、そのための金型投資等が不要であり、安価に作製することができ、さらに、ダンパー装置１と一体化した電気的接続部の構成を統一することができ、組立て性に優れた構成を得ることができる。
【００４９】
（実施の形態２）
図６は、本発明の実施の形態２におけるダンパー装置の駆動部を切欠いた断面を含む側面図である。図７は、同ダンパー装置における図６のＢ−Ｂ線による断面を含む駆動部の正面図である。図８は、同ダンパー装置の背面図である。図９は、同ダンパー装置を構成する駆動部の平面図である。図１０は、同駆動部におけるコネクタ部の背面図、図１１は同駆動部に設けられたモータの断面図である。なお、先の実施の形態１と同一の構成要素に関しては同一の符号を付して説明する。
【００５０】
図６から図１１において、ダンパー装置５１は、空気等の流体が通過するための開口部２を有するフレーム５３と、長辺の一つを軸にして開口部２を開閉するバッフル４と、バッフル４を回転駆動する駆動部５５を具備している。
【００５１】
また、駆動部５５は、一面が開口し、かつ外郭を形成するケース５６と、ケース５６の開口を塞ぐ蓋部となるカバー５７と、正逆回転可能で内部に減速機構（図示せず）等を具備するギヤードタイプのモータ５８と、モータ５８の回転を減速して伝達する減速歯車列９と、減速歯車列９により減速されたモータ５８の回転を、駆動軸１０ａを介してバッフル４に伝える駆動歯車１０を具備した構成である。
【００５２】
ここで、カバー５７は、フレーム５３の側部に一体に設けられた構成としているが、フレーム５３とは別々の構成とすることもできる。
【００５３】
また、モータ５８は、内部に駆動コイル（巻線）５８ａが巻回された一対のモータボビン５８ｂと、モータボビン５８ｂに圧入され、駆動コイル５８ａの端末部分が巻き付けられるようにして接続されている複数本の巻線用端子５８ｃと、巻線用端子５８ｃを挿入し、半田付け固定して電気的に接続された基板５８ｄと、一端が基板５８ｄと半田付けにて接続された複数本のリード線５８ｅを具備する構成となっている。そして、リード線５８ｅの先端には、コネクタ部６３が取り付けられている。
【００５４】
コネクタ部６３は、モータ５８のリード線５８ｅに接続されたモータ側コネクタ６７と、冷蔵庫等の本体機器からのコネクタ（図示せず）と電気的に接続される接続用コネクタ７０から構成されている。
【００５５】
そして、モータ側コネクタ６７は、リード線５８ｅに接続された複数本の雌型端子６５と、この雌型端子６５を一列に並べて保持するハウジング６６から構成されている。また、接続用コネクタ７０は、ハウジング６６の挿入を可能とする空間７０ａを具備したハウジング６９と、そのハウジング６９に保持され、かつハウジング６６の挿入状態において前記複数本の各雌型端子６５と対をなして離脱可能に接続される複数本の雄型端子６８から構成されている。
【００５６】
ここで、接続用コネクタ７０は、雄型端子６８が該接続用コネクタ７０の両端側へ突出するように、保持部６９ｃをハウジング６９の略中央に形成している。
【００５７】
したがって、モータ側コネクタ６７は、接続用コネクタ７０の雄型端子６８の一方と電気的に接続され、前記本体機器からのコネクタは、接続用コネクタ７０の雄型端子６８の他方と電気的に接続される構成となる。
【００５８】
かかることから、接続用コネクタ７０は、その空間７０ａを含め、保持部６９ｃを挟んで対称な形状に形成されているため、モータ側コネクタ６７が両方から接続できる構成となっている。したがって、本体機器側からのコネクタも、そのハウジング（図示せず）を含めてモータ側コネクタ６７と同一のコネクタ構成とすることにより、接続用コネクタ７０のいずれの側との接続が可能となり、モータ側コネクタ６７、および本体機器側コネクタの接続作業において、接続用コネクタ７０は、接続相手のコネクタを確認する必要がなく、ハウジング６６の空間７０ａへの嵌合方向を確認し、接続すればよい作業となる。
【００５９】
そして、接続用コネクタ７０は、ケース５６の開口側より穴部６４に挿入され、その穴部６４の一端に設けられた当接部６４ａに、ハウジング６９に設けたリブ６９ａが当接することにより、穴部６４における接続用コネクタ７０の位置決めが行われる。その状態で、カバー５７によりケース５６の開口を塞ぐことにより、ハウジング６９に設けたリブ６９ａが、ケース５６の穴部６４の終端に形成した当接部６４ａと、カバー５７に設けられた凸部５７ａによって挟み込まれ、接続用コネクタ７０は、ケース５６に固定される。
【００６０】
また、接続用コネクタ７０を構成するハウジング６９の相対する面には、それぞれに凹部６９ｂが形成されており、接続用コネクタ７０の穴部６４への挿入に際しては、この凹部６９ｂがケース５６の穴部６４に設けた凸部６４ｂに嵌合しており、接続用コネクタ７０を誤って逆向きに取り付けることができない構造となっている。
【００６１】
以上のように構成されたダンパー装置５１の動作について説明する。
【００６２】
バッフル４は、上述の如く駆動部５５の動力を受け、駆動車１０、および駆動軸１０ａの回転によって所定角度の範囲で往復回動し、開口部２を全閉状態から全開状態、全開状態から全閉状態に制御する動作を行う。また必要に応じてその途中でバッフル４の回動を停止し、流通する空気の量を制御することもできる。かかる動作は、周知の動作内容であるので、詳細な説明を省略する。
【００６３】
したがって、上記構成からなるダンパー装置５１は、バッフル４の回転動作により、開口部２を開閉することができるため、例えば冷蔵庫等の冷気通路内、あるいはダクト内に配置されることにより、冷気の流通（流量）を制御し、貯蔵室内の温度を略一定に維持することができる。
【００６４】
また、ダンパー装置５１を構成するモータ５８は、駆動コイル５８ａと駆動コイル５８ａの端末部分が巻き付けられている複数本の巻線用端子５８ｃと、巻線用端５８ｃと電気的に接続された複数本のリード線５８ｅと、リード線５８ｅの先端に取り付けられたコネクタ部６３を有する構成であり、そのコネクタ部６３を構成するハウジング６９に設けたリブ６９ａを、ケース５６とカバー５７によって挟み込むことにより、コネクタ部６３を駆動部５５に固定する構成としている。
【００６５】
したがって、モータ側コネクタ７０の仕様にかかわらずコネクタ部６３をケース５６へ確実に固定することができ、しかも、ケース５６の穴部６４へコネクタ部６３を正規の方向から挿入し、カバー５７をケース５６に取り付ける作業でコネクタ部６３を取り付けることができるため、コネクタ部６３の取り付けに際し、モータ５８に直接外力が加わることも抑制される。その結果、モータ５８の接続用端子５８ｃが変形し、駆動コイル５８ａを引っ張るといったこともなく、これに起因するモータ巻線の断線を防止することができる。
【００６６】
またモータ側コネクタ７０の仕様にかかわらずコネクタ部６３を確実に固定することができるため、冷蔵庫等の本体機器側のコネクタ部との接続時に、コネクタ部１３が動いたり、外れたりすることがなく、信頼性の高い構成を得ることができる。
【００６７】
さらに、接続用コネクタ７０を、ケース５６とカバー５７により挟み込み固定しているので、リード線５８ｅの長さ、およびコネクタ部６３の仕様を統一することができる。その結果、リード線５８ｅおよびコネクタ部６３をケース５６から引き出した構成の場合は、ダンパー装置５１を搭載する本体機器に応じてリード線５８ｅの長さを設定する必要があったが、本実施の形態２の如く、コネクタ部６３をケース５６に固定する構成とすることにより、その必要もなくなり、電気的接続部を統一して安価な構成とすることができる。
【００６８】
また、モータ５８およびモータ側コネクタ７０は、特別な構造とする必要がなく、汎用のものを採用することができるため、そのための金型投資等も不要となる。
【００６９】
さらに、ケース５６の穴部６４に凸部６４ｂを設け、また接続用コネクタ７０を構成するハウジング６９に凹部６９ｂを設け、この凸部６４ｂと凹部６９ｂの嵌合により、接続用コネクタ７０の取り付け方向を規制する構成としたことにより、接続用コネクタ７０を誤って逆向きに挿入することができないため、組立て時における接続用コネクタ７０の誤挿入が防止でき、本体機器側コネクタとの接続を確実にして、信頼性の高いものとすることができる。
【００７０】
また、接続用コネクタ７０のコネクタ挿入用の空間７０ａを含め、保持部６９ｃを挟んで対称な形状に形成したことにより、本体機器側コネクタおよびモータ側コネクタ６７を同一のコネクタ構成とし、接続用コネクタ７０のいずれの側との接続を可能とすることもできる。かかる場合は、接続作業において、接続相手のコネクタを選択する必要がなく、組立作業を一層容易にすることができる。
【００７１】
以上のように、本実施の形態２におけるダンパー装置５１は、組立て時等においてモータ５８の駆動コイル５８ａの断線の恐れがなく、本体機器側コネクタとの電気的接続を確実なものとし、高い信頼性を得ることができる。また、モータ５８およびモータ側コネクタ６７は汎用のものを採用することができるため、そのための金型投資等が不要であり、電気的接続部の統一もはかれ、さらに組立てを容易にして安価に製作することができるものである。
【００７２】
（実施の形態３）
図１２は、本発明の実施の形態３における物品貯蔵装置の構成を示す模式図である。なお、ここでは、ダンパー装置を実施の形態１のダンパー装置とし、実施の形態１の構成要件と同様の構成要件には同一の符号を付して説明する。
【００７３】
図１２において、貯蔵装置本体８１は、内部に、前面が開口し、断熱材によって囲われた第一貯蔵室８２ａと第二貯蔵室８２ｂを具備し、前面に、第一貯蔵室８２ａおよび第二貯蔵室８２ｂに対応して前記開口を開閉する断熱性の第一扉８３ａおよび第二扉８３ｂを具備している。
【００７４】
また、第一貯蔵室８２ａと第二貯蔵室８２ｂは、連絡通路８４ａ、８４ｂを介して連通している。
【００７５】
さらに、貯蔵装置本体８１の内部には、圧縮機８５、凝縮器８６、減圧装置８７、蒸発器８８を配管により環状に連結した冷凍サイクルが設けられており、蒸発器８８は、第一貯蔵室８２ａの背面に形成した冷却室８９内に配置されている。この冷却室８９は、本発明の温調室と送風回路を構成している。また、冷却室８９内には、吸込み口９２から吸込まれ、蒸発器８８で冷却された冷気を、矢印ａで示す如く吹出し口９１から吐出し、積極的に前記冷気を第一貯蔵室８２ａ内で循環させる送風機９０が設けられている。
【００７６】
さらに、冷却室８９の吹出し口９１には、第一貯蔵室８２ａ内への冷気の供給を制御するダンパー装置１が設けられている。このダンパー装置１は、少なくとも第一貯蔵室８２ａ内の温度をセンサー９３により検出し、制御装置９４からの信号に基づいて該吹出し口９１の開閉、もしくは開放度合いの調整を行うことにより、送風機９０による冷気の供給、もしくは供給量を制御し、第一貯蔵室８２ａ内の温度を制御する。そして、第二貯蔵室８２ｂは、矢印ｂで示す如く連絡通路８４ａ、８４ｂを介して流入した第一貯蔵室８２ａの一部の冷気の循環によって冷却される。
【００７７】
なお、ダンパー装置１の開閉制御を行う制御装置９４については、周知の構成でよく、また本発明の要旨と直接関係しないため、詳細な説明は省略する。
【００７８】
さらに、ダンパー装置１は、第一貯蔵室８２ａのみに限るものではなく、第二貯蔵室８２ｂにも対応して設けることができ、また、制御装置９４による制御も、第一貯蔵室８２ａおよび第二貯蔵室８２ｂそれぞれに対応した周知の範囲で制御することもできる。
【００７９】
したがって、制御装置９４を構成する制御基板（図示せず）とダンパー装置１の電気的な接続構成に、実施の形態１の構成からなるコネクタ部１３、あるいは実施の形態２の構成からなるコネクタ部６３を採用することにより、作業が容易で誤結線が生じ難く、信頼性が高い接続構成が得られ、冷蔵庫等の物品貯蔵装置において信頼性の高い温度制御機能を実現することができる。
【００８０】
なお、本実施の形態３の物品貯蔵装置においては、冷却気流を第一貯蔵室８２ａ、および第二貯蔵室８２ｂに供給する構成としたが、温調室（冷却室８９）に凝縮器８６を配置し、温風気流を第一貯蔵室８２ａ、および第二貯蔵室８２ｂに供給する構成とすることもでき、また温調室（冷却室８９）に凝縮器８６と蒸発器８８を配置し、除湿された空気を第一貯蔵室８２ａ、および第二貯蔵室８２ｂに供給する構成とし、温風、あるいは除湿された乾燥空気の供給制御を行う機能を備えた物品貯蔵装置とすることもできる。
【産業上の利用可能性】
【００８１】
以上のように、本発明にかかるダンパー装置は、冷蔵庫の気流制御等の如く、流体通路を開閉し、流体の供給制御を行う用途に広く適用することができる。
【図面の簡単な説明】
【００８２】
【図１】本発明の実施の形態１におけるダンパー装置の側面図
【図２】同ダンパー装置における図１のＡ−Ａ線による断面を含む正面図
【図３】同ダンパー装置の背面図
【図４】同ダンパー装置を構成する駆動部の内部を示す平面図
【図５】同ダンパー装置の駆動部に設けられたモータの断面図
【図６】本発明の実施の形態２におけるダンパー装置の駆動部を切欠いた断面を含む側面図
【図７】同ダンパー装置における図６のＢ−Ｂ線による断面を含む駆動部の正面図
【図８】同ダンパー装置の背面図
【図９】同ダンパー装置を構成する駆動部の平面図
【図１０】同駆動部におけるコネクタ部の背面図
【図１１】同駆動部に設けられたモータの断面図
【図１２】本発明の実施の形態３における物品貯蔵装置の構成を示す模式図
【図１３】従来例を示すダンパー装置の駆動部の内部構成を示す平面図
【図１４】同ダンパー装置の駆動部の断面図
【図１５】同ダンパー装置のモータ側コネクタの部分拡大斜視図
【符号の説明】
【００８３】
１    ダンパー装置
２    開口部
３    フレーム
４    バッフル
５    駆動部
６    ケース
７    カバー
７ａ  凸部
８    モータ
８ａ  駆動コイル
８ｂ  巻線用端子
８ｅ  リード線
１１    雄型端子
１２    ハウジング
１２ａ  凸部
１３    コネクタ部
１４    溝部
１４ｂ  凹部
５１    ダンパー装置
５３    フレーム
５５    駆動部
５６    ケース
５７    カバー
５７ａ  凸部
５８    モータ
５８ａ  駆動コイル
５８ｃ  巻線用端子
５８ｅ  リード線
６３    コネクタ部
６４    穴部
６４ａ  当接部
６５    雌型端子
６６    ハウジング
６７    モータ側コネクタ
６８    雄型端子
６９    ハウジング
６９ａ  リブ
６９ｂ  凹部
８０    接続用コネクタ
８１    貯蔵装置本体
８２ａ  第一貯蔵室
８２ｂ  第二貯蔵室
８５    圧縮機
８６    凝縮器
８７    減圧装置
８８    蒸発器
８９    冷却室（温調室、送風回路）
９０    送風機
９１    吹出し口
９２    吸込み口
【図１】
2010159902.tif 000003
【図２】
2010159902.tif 000004
【図３】
2010159902.tif 000005
【図４】
2010159902.tif 000006
【図５】
2010159902.tif 000007
【図６】
2010159902.tif 000008
【図７】
2010159902.tif 000009
【図８】
2010159902.tif 000010
【図９】
2010159902.tif 000011
【図１０】
2010159902.tif 000012
【図１１】
2010159902.tif 000013
【図１２】
2010159902.tif 000014
【図１３】
2010159902.tif 000015
【図１４】
2010159902.tif 000016
【図１５】
2010159902.tif 000017